(57)【要約】      （修正有）【課題】固定金具を用いずに床材を固定でき、固着具の腐食及び床材間からの雨水滴下が防止される床材固定構造を提供する。【解決手段】  床材Ａ の一端には第１凸部７ と、その第１凸部の支持材Ｍ 側にＬ形の第１凹部８とを設ける。床材の他端には第１凸部が嵌合可能な第２凹部９ と、その第２凹部の支持材側に第１凹部に嵌合可能で、段部を有する第２凸部１０とを設け、先の床材を前記段部から支持材にねじ込んだねじｎ により固定し、次の床材の第１凸部を前記先の床材の第２凹部に嵌合するとともに、前記先の床材の第２凸部を前記次の床材の第１凹部に嵌合し、前記次の床材を前記段部から前記支持材にねじ込んだねじにより固定するようにした。【選択図】図２
2005282167.tif 000002
【特許請求の範囲】
【請求項１】
床材の幅方向一端には幅方向に突出する第１凸部と、その第１凸部の支持材側にＬ形の第１凹部とを設けるとともに、前記床材の幅方向他端には幅方向に開口して前記第１凸部が嵌合可能な第２凹部と、その第２凹部の支持材側に前記第１凹部に嵌合可能で、ねじ頭の高さとほぼ等しい深さの段部を有する第２凸部とを設け、先の床材を前記段部から支持材にねじ込んだねじにより固定し、次の床材の第１凸部を前記先の床材の第２凹部に嵌合するとともに、前記先の床材の第２凸部を前記次の床材の第１凹部に嵌合し、前記次の床材を前記段部から前記支持材にねじ込んだねじにより固定するようにしたことを特徴とする床材の固定構造。
【請求項２】
請求項１の床材の固定構造において、隣接して固定される床材の互いに対向する面の間に床材の幅方向膨脹を吸収できる隙間を持って、第１凸部と第２凹部、及び第２凸部と第１凹部が嵌合されていることを特徴とする床材の固定構造。
【請求項３】
床材の幅方向一端には幅方向に二股状に突出し、その間に凹部を有する二股凸部を設け、前記床材の幅方向他端には幅方向に突出して前記二股凸部の凹部の中間位置まで嵌合可能な凸部を設け、支持材に載置固定されている先の床材の凸部を次の床材の二股凸部の凹部の中間位置まで嵌合させ、その二股凸部と二股凸部の凹部の先の床材の凸部が嵌合されずに残った空間とを貫通して支持材にねじ込まれたねじにより前記次の床材を前記支持材に固定するようにしたことを特徴とする床材の固定構造。
【発明の詳細な説明】
【技術分野】
【０００１】
本発明は、屋外に設置されるデッキの床材を根太等の支持材に固定する構造に関する。
【背景技術】
【０００２】
屋外に設置されるデッキの床材に、横方向に複数の中空部を有する長尺帯状に成形された合成樹脂製床材が使用されることが増えてきた。この床材は、複数枚を根太などの支持材の上に平行に並べ、互いに近接又は密着して釘又はねじなどの固着具により支持材に固定されるが、その固着具が床材上面に露呈したり、床材上面に亀裂が発生したりする不都合を回避できる床材の固定構造が求められており、これまでに、この要望に応える各種の床材固定構造が提案されている。例えば特許文献１及び２を参照。
【特許文献１】特開２００２−４４０７号公報
【特許文献２】特開２００３−２０１７５８号公報
【発明の開示】
【発明が解決しようとする課題】
【０００３】
しかしながら、上記先行技術は、いずれも、床材のほかに特定形状の固定金具を一枚の床材ごとに複数個必要とし、各固定金具を固着具により支持材に固着して、固定金具により床材を支持材に固定するように構成されている。
【０００４】
従って、多数の固定金具を必要とするので、製造コストがかかり、また、床材固定時の固定金具の位置決めに時間が掛かるので、施工時間が長くなる、さらに、任意の位置の床材の交換が必要になったときは、デッキ床の終端部の床材から当該床材まで全部取り外す必要があり、手間隙が掛かった。
【０００５】
固定金具の形状によっては、任意の位置の床材のみを取外して交換可能であるが、その場合は、固定金具を止めるねじなどの固着具が床材間の隙間から上方に露見されるため外観上問題であり、雨水による固着具の腐食を招く原因にもなる。さらに、この場合の固定具は床材の間から雨水がデッキ床の下方に滴下するため、デッキ下方に雨水湿潤を避けたい物を収納することができないという不具合があった。
【０００６】
本発明は、上記の点に鑑みてなされたものであり、第一の課題は、固定金具を用いずに床材を支持材に固定することができ、しかも、固着具の腐食及び床材間からの雨水滴下が防止される床材固定構造を提供することにある。第二の課題は、固定金具を用いずに床材を支持材に固定することができ、しかも、任意の位置の床材の交換が容易にでき、固着具の腐食及び床材間からの雨水滴下も防止される床材固定構造を提供することにある。
【課題を解決するための手段】
【０００７】
第一の課題を解決するため、請求項１の発明は、床材の幅方向一端には幅方向に突出する第１凸部と、その第１凸部の支持材側にＬ形の第１凹部とを設けるとともに、前記床材の幅方向他端には幅方向に開口して前記第１凸部が嵌合可能な第２凹部と、その第２凹部の支持材側に前記第１凹部に嵌合可能で、ねじ頭の高さとほぼ等しい深さの段部を有する第２凸部とを設け、先の床材を前記段部から支持材にねじ込んだねじにより固定し、次の床材の第１凸部を前記先の床材の第２凹部に嵌合するとともに、前記先の床材の第２凸部を前記次の床材の第１凹部に嵌合し、前記次の床材を前記段部から前記支持材にねじ込んだねじにより固定するようにしたことを特徴としている。
上記構成により、各床材は、固定金具を用いずに、ねじのみで支持材に固定される。第１凸部と第２凹部の嵌合により、床材間に隙間が発生しないので、デッキ上に降った雨水はデッキ床の端部から排水され、ねじ頭がデッキ床面に露呈されないので、雨水による腐食も防止される。
【０００８】
請求項１の床材固定構造において、隣接して固定される床材の互いに対向する面の間に床材の幅方向膨脹を吸収できる隙間を持って、第１凸部と第２凹部、及び第２凸部と第１凹部が嵌合されていることが望ましい。
このような構成により、床材が含水や熱により膨張した場合は、その膨脹が隙間に吸収されるので、床材同志が衝突して跳ね上がることはない。
【０００９】
第二の課題を解決するため、請求項３の発明は、床材の幅方向一端には幅方向に二股状に突出し、その間に凹部を有する二股凸部を設け、前記床材の幅方向他端には幅方向に突出して前記二股凸部の凹部の中間位置まで嵌合可能な凸部を設け、支持材に載置固定されている先の床材の凸部を次の床材の二股凸部の凹部の中間位置まで嵌合させ、その二股凸部と二股凸部の凹部の先の床材の凸部が嵌合されずに残った空間を貫通して支持材にねじ込まれたねじにより前記次の床材を前記支持材に固定するようにしたことを特徴としている。
上記構成により、固定金具を用いずにねじのみで各床材が固定される。隣接する床材の間にねじの頭が露呈されているから、ドライバ等でねじを回転させることができる。従って、任意の位置の床材を交換したい場合は、当該床材とこれに隣接するもう一つの床材を固定しているねじを取外すと、２枚の床材の取外しが可能である。
【発明の効果】
【００１０】
請求項１の発明によれば、床材はねじのみで支持材に固定されるので、固定金具が不要であり、従って、コスト削減が可能であり、床材間に隙間が発生しないので、デッキ上に降った雨水はデッキ床面の下方に滴下せずに端部から排水され、ねじ頭がデッキ床面に露呈されないので、雨水による腐食も防止される。
【００１１】
請求項２の発明によれば、床材の互いに対向する面の間に床材の膨脹を吸収できる隙間が設けてあるので、床材が膨張した場合は、その膨脹が隙間に吸収されるので、床材同志が衝突して跳ね上がることが防止される。
【００１２】
請求項３の発明によれば、ねじのみで床材が固定されるから、固定金具が不要であり、コスト削減が可能である。また、床材の間に露呈されているねじをドライバ等で回転させることができるから、隣接する２枚の床材を固定しているねじを取外せば、任意の位置の床材の取外し・交換が可能である。
【発明を実施するための最良の形態】
【００１３】
次に、本発明の実施の形態について、図面に基づいて説明する。
図１は本発明の第一の実施の形態を示す床材の端面図、図２は同床材の支持材に固定された状態の断面図、図３は図２の一部の拡大図である。図４は本発明の第二の実施の形態を示す床材の端面図、図５は同床材の支持材に固定された状態及び任意の位置の床材を取外す際の動作を示す断面図である。
【００１４】
第一の実施の形態における床材Ａは、木粉と結合剤と合成樹脂材料をブレンドして押出し成形された合成樹脂製床材であり、上壁１と下壁２との間に複数の仕切り壁３が、また、幅方向両側に端部壁４，５が設けられて、複数の中空部６を有する長尺帯板状に成形されている。
【００１５】
そして、床材Ａの幅方向一端、すなわち、端部壁４には、幅方向に突出する第１凸部７と、その第１凸部の支持材側にＬ形の第１凹部８とが設けられている。床材Ａの幅方向他端、すなわち、端部壁５には、幅方向に開口して第１凸部７が嵌合可能な第２凹部９と、その第２凹部の支持材側に第１凹部８に嵌合可能な第２凸部１０とが設けられている。第２凸部１０は、その上面に、ねじ頭の高さとほぼ等しい深さの段部１１を有する。第２凸部１０には、その長手方向に所定の間隔を持ってねじを貫通する孔（不図示）が設けられている。
【００１６】
このような構成の床材Ａを大引、根太などの支持材Ｍに固定するには、図２に示すように、先の床材Ａ１を支持材Ｍの所定の位置に静止し、その第２凸部１０の段部１１のねじ貫通孔からねじｎを支持材Ｍにねじ込んで固定し、次の床材Ａ２の同様に支持材Ｍの所定の位置に静止する。この時、第１凸部７を先の床材Ａ１の第２凹部９に嵌合するとともに、先の床材Ａ１の第２凸部１０を次の床材Ａ２の第１凹部８に嵌合し、次の床材Ａ２を段部１１のねじ貫通孔からねじｎを支持材Ｍにねじ込んで固定する。
【００１７】
この場合、先の床材Ａ１と次の床材Ａ２の間には、図３に示すように、端部壁４と５の間、さらに詳しくは、端部壁４の上端部と端部壁５の上端部の間、第２凹部９の内底面と第１凸部７の外端面の間、及び第２凸部１０の外端面と第１凹部８の内底面の間に、それぞれほぼ同一幅の隙間Ｓ１，Ｓ２，Ｓ３が形成されるように位置決めがされる。
【００１８】
続いて、床材Ａ２を床材Ａ１に対して結合し、かつ、支持材Ｍに対して固定したのと同じ要領で、次の床材Ａ３を先の床材Ａ２に対して結合し、支持材Ｍに対して固定する。以後、所要の数の床材が同様にして取付けられる。
【００１９】
上記のようにして、各床材はねじｎのみで支持材Ｍに固定され、先行技術が必要とした固定金具は不要である。また、隣接する床材の端部壁４の上端部と端部壁５の上端部の間の隙間Ｓ１は第１凸部７と第２凹部９の嵌合により底が閉塞された溝１２を形成する。従って、デッキ上面に降った雨水はその溝１２をデッキの端部まで流れて排水される。従って、デッキ湯か面の下側に雨水による湿潤が好ましくない物を収容することができる。また、ねじｎの頭はデッキ上面に露呈されないので外観が損なわれることがなく、また、ねじの腐食が防止される。さらに、隣接する床材の端部壁４と５の間には隙間が設けられているので、各床材が膨脹したときは、その膨脹が隙間に吸収されるため、床材同志の衝突による跳ね上がりも防止される。
【００２０】
図４は本発明の他の実施の形態を構成する床材を示す。この床材Ｂも合成樹脂製床材であり、上壁２１と下壁２２との間に複数の仕切り壁２３が、また、幅方向両側に端部壁２４，２５が設けられ、複数の中空部２６を有する長尺帯板状に成形されている。そして、床材Ｂの端部壁２４の高さ方向下半部には、幅方向に二股状に突出し、その間に凹部２６を有する二股凸部２７が設けられている。二股凸部２７には、その床材の長手方向に所定の間隔を持ってねじを垂直に貫通するための孔（不図示）が形成されている。
【００２１】
また、床材Ｂの端部壁２５の高さ方向中間部には、幅方向に突出して二股凸部２７の凹部２６に、その中間位置まで嵌合可能な凸部２８が設けられている。この凸部２８の突出長さは、凹部２６の深さ（二股凸部２７の長さでもある）よりも、この床材を固定するねじ（後述）の軸径よりも若干大きい距離だけ、短くなるように設定されていて、この凸部２８を二股凸部２７の凹部２６に嵌合した場合に、二股凸部に設けてあるねじ貫通孔が凸部２８により遮蔽されないようにしてある。
【００２２】
さらに好ましくは、端部壁２４の上端部と端部壁２５の上端部には、床材Ｂの幅方向中心に対して対称形の凸条２９ａ，２９ｂが形成されている。
【００２３】
上記形状の床材Ｂを支持材Ｍに固定するには、図５の（ａ）に示すように、次のように行う、すなわち、まず、支持材Ｍに載置固定されている先の床材Ｂ１に次の床材Ｂ２を近接して支持材Ｓの上面に置き、その床材Ｂ２を先の床材Ｂ１の方向に移動して、二股凸部２７の凹部２６に先の床材Ｂ１の凸部２８を嵌合させる。この時、二股凸部の下側の凸部の先端が先の床材の端部壁２５の下端部に当たって止められる。これにより、先の床材Ｂ１の凸条２９ｂと次の床材Ｂ２の凸条２９ａの間に所定の隙間３０が確保される。従って、その隙間からねじｎを二股凸部のねじ貫通孔に貫通し、さらに支持材Ｍにねじ込むことにより、床材Ｂ２が所定位置に固定される。ねじｎは先の床材の凸部２８と端部壁２４との間の空間を貫通している。
【００２４】
以後、同様にして、他の床材Ｂ３，Ｂ４が固定されて、デッキの床が構成される。
【００２５】
この実施の形態においては、上記のように、ねじｎ１，ｎ２，ｎ３が隣接する床材の内、一方の床材の二股凸部２７しか貫通していない。そして、隣接する床材は順次、二股凸部２７と凸部２８が嵌合し、しかも、凸部２８は凹部２６の中間までしか挿入されておらず、また、隣接する床材上端部の凸条２９ａ，２９ｂの間に隙間Ｓ４が形成されているので、いずれかの床材、例えば図５（ａ）のＢ２の交換が必要になった場合は、同図（ｂ）に示すように、その床材Ｂ２とこれに隣接するもう一つの床材Ｂ３を支持材Ｓに固定しているねじｎ１，ｎ２を隙間Ｓ４から挿入したドライバ等で取外し、それら二つの床材Ｂ２，Ｂ３の連結部分を引き上げると、床材Ｂ２，Ｂ３の二股凸部２７と凸部２８の嵌合が解かれると同時に、床材Ｂ２の二股凸部２７は固定されている床材Ｂ１の凸部２８との嵌合が解かれ、床材Ｂ３の凸部２８は固定されている床材Ｂ４の二股凸部２７との嵌合を解かれるため、これら二つの床材Ｂ２，Ｂ３を同時に取外すことができる。従って、交換の必要なＢ２だけを交換することができる。交換後は、取外すときと逆の手順で嵌合し、再びねじｎ１，ｎ２をねじ込むことにより、図５（ａ）の状態に復元ることができる。
【００２６】
図５（ｂ）において、ねじｎ３が床材Ｂ３を挟持していて、床材を取外す際、床材Ｂ３の凸部２８の二股凸部２７からの嵌合解除に影響を与える場合は、このねじｎ３も取外しておくと良い。
【００２７】
この実施の形態においても、隣接する床材の端部壁２４，２５の上端部間に形成される溝３０の底部は、二股凸部２７と凸部２８により密閉されるので、デッキ上面に降った雨は、その溝をデッキ端部まで流れて排水される。
【産業上の利用可能性】
【００２８】
本発明は、デッキの床材の固定に限らず、建物の壁材や屋根材の固定に適用することも可能である。
【図面の簡単な説明】
【００２９】
【図１】本発明の第一の実施の形態を示す床材の端面図。
【図２】同床材の支持材に固定された状態の断面図。
【図３】図２の一部の拡大図。
【図４】本発明の第二の実施の形態を示す床材の端面図。
【図５】同床材の固定された状態及び任意の位置の床材を取外す際の動作を示す断面図。
【符号の説明】
【００３０】
Ａ，Ａ１〜Ａ３    床材
７                第１凸部
８                第１凹部
９                第２凹部
１０              第２凸部
１１              段部
Ｂ，Ｂ１〜Ｂ４      床材
２４，２５        端部壁
２６              凹部
２７              二股凸部
２８              凸部
２９ａ，２９ｂ    凸条
ｎ，ｎ１〜ｎ３    ねじ
Ｍ                支持材
【図１】
2005282167.tif 000003
【図２】
2005282167.tif 000004
【図３】
2005282167.tif 000005
【図４】
2005282167.tif 000006
【図５】
2005282167.tif 000007